【事件の表示】
　平成　４年特許願第３０２０１８号「光学的情報記録再生装置」拒絶査定に対する審判事件［平成　６年　５月３１日出願公開、特開平　６−１５０３３３］について、次のとおり審決する。
【結　論】
　本件審判の請求は、成り立たない。
【理　由】
１．手続の経緯・本願発明
  本願は、平成４年１１月１２日の出願であって、その請求項１に係る発明は、平成１１年８月６日付け手続補正書により補正された明細書の特許請求の範囲の請求項１に記載された次のとおりのものと認める。（以下、本願発明という）
「記録される情報ピットの大きさが異なる複数種類の情報記録媒体に記録再生する光学的情報記録再生装置であり、単一の波長を持つレーザと光学レンズを備える光学ヘッド手段と、情報記録媒体の記録面と前記光学ヘッド手段の焦点とのずれ量であるデフォーカス量を調整可能な可変フォーカスサーボ手段と、装着された情報記録媒体に記載された前記情報記録媒体が準拠する規格識別情報を読出し、前記情報記録媒体が要求するスポットサイズを認識するスポットサイズ認識手段と、前記スポットサイズ認識手段が求めたスポットサイズと前記光学ヘッド手段のスポットサイズが等しくなるデフォーカス量を算出するデフォーカス量算出手段と、前記デフォーカス量算出手段が算出したデフォーカス量を前記可変フォーカスサーボ手段に設定して記録再生を行う記録再生互換制御手段とを備えたことを特徴とする光学的情報記録再生装置。」
２．引用刊行物記載の発明
  これに対して、原査定の拒絶の理由に引用された、本願の出願日前である平成１年８月２８日に頒布された「特開平１−２１３８３８号公報」（以下「引用刊行物」という。）には、次の事項が記載されている。
 (1) 「記録媒体上に光源から発光された光束を結ばせるための絞り込み光学系と、前記記録媒体の光軸方向の変動に追従して記録面上に前記光束の焦点を結ぶように前記絞り込み光学系を制御する焦点制御手段とを具備する光学的記録再生装置において、使用する記録媒体のトラックピッチの種類を検出する検出手段と、前記検出手段の出力に基づいて、前記記録媒体のトラックピッチの大または小に対応して前記記録媒体の記録再生面の光スポット径を大又は小となるように変更するスポット径変更手段とを設けたことを特徴とする光学的記録再生装置。」（特許請求の範囲）
  (2) 「自動焦点の引き込み動作を開始する前に、記録媒体１のトラックピッチの識別子を検出する識別子検出回路１７は、使用する記録媒体のトラックピッチ（種別）を検出する。このトラックピッチは、例えば、記録媒体を収容するカートリッジに付したトラックピッチを表すマークや切り欠き等を検出することで識別される。」（公報３頁右下欄１８行〜同４頁左上欄４行）
  なお、この様に自動引き込みを開始する直前において、記録媒体が装置内に装着されていることは、自明のことである。
（３）「次に、この装置（短波長、例えば、５００ｎｍのレーザビーム、焦点ビーム径１．０μｍ）を用いて、比較的トラックピッチの広い記録媒体（例えば、１．６μｍ）の記録・再生を行う場合を考えると、記録・再生面でのスポット径が１．６μｍとなるように焦点位置をずらせばよい。・・・論理制御回路１９は、第２図（ｂ）に示すように、指示された値ΔＶのオフセット電圧１８を与え、この電圧ΔＶが加算回路１５に加えられる。・・・焦点ずれ信号８がΔＶに見合う値となって、第２図に一点鎖線で示すようにこのオフセット量に相当するΔＸ分だけ記録再生面から前方にずれた位置に落ち着くことになる。この焦点ずれΔXに対応して光スポットの大きさが所定値となるようにしておけば、記録媒体のトラックピッチに合わせた光スポット径とすることで、」（公報４頁左下欄４行〜同右下欄８行）
  これらの記載事項によると、引用刊行物には、
「記録される情報ピットの大きさが異なる複数の記録媒体上に単一波長のレーザ光源から発光された光束を結ばせるための光学レンズを備えた絞り込み光学系と、前記記録媒体の光軸方向の変動に追従して記録面上に前記光束の焦点を結ぶように前記絞り込み光学系を制御する焦点制御手段とを具備する光学的記録再生装置において、装着された記録媒体のトラックピッチの種類を検出する検出手段と、前記検出手段の出力に基づいて、前記記録媒体のトラックピッチの大または小に対応して前記記録媒体の記録再生面の光スポット径を大又は小となるようにデフォーカスにより変更するスポット径変更手段とを設けたことを特徴とする光学的記録再生装置。」の発明（以下、「引用刊行物記載の発明」という。）が記載されているものと認められる。
３．対比                                     
  本願発明と引用刊行物記載の発明を対比すると、引用刊行物記載の発明の「レーザ光源」、「絞り込み光学系」、「焦点制御手段」は、本願発明の「レーザ」、「光学ヘッド手段」、「可変フォーカスサーボ手段」に相当し、また、引用刊行物に記載の発明の「スポット変更手段」は検出手段の出力に応じて記録媒体の記録再生面の光スポット径を大又は小となるように変更しているから、本願発明の「デフォーカス量算出手段」及び「記録再生互換制御手段」に相当するので、
両者は  「記録される情報ピットの大きさが異なる複数種類の情報記録媒体に記録再生する光学的情報記録再生装置であり、単一の波長を持つレーザと光学レンズを備える光学ヘッド手段と、情報記録媒体の記録面と前記光学ヘッド手段の焦点とのずれ量であるデフォーカス量を調整可能な可変フォーカスサーボ手段と、
　デフォーカス量算出手段が算出したデフォーカス量を前記可変フォーカスサーボ手段に設定して記録再生を行う記録再生互換制御手段とを備えたことを特徴とする光学的情報記録再生装置。」で一致し、
　本願発明が「装着された情報記録媒体に記載された前記情報記録媒体が準拠する規格識別情報を読出し、前記情報記録媒体が要求するスポットサイズを認識するスポットサイズ認識手段」を備えているのに対し、引用刊行物に記載の発明では「装着した記録媒体からトラックピッチの種類を検出する手段」を備えている点（相違点１）、デフォーカス量算出手段について、本願発明が「スポットサイズ認識手段が求めたスポットサイズと前記光学ヘッド手段のスポットサイズが等しくなるデフォーカス量を算出」しているのに対し、引用刊行物に記載の発明では「検出手段の出力に基づいて、前記記録媒体のトラックピッチの大または小に対応して前記記録媒体の記録再生面の光スポット径を大又は小となるように変更」している点（相違点２）で、相違する。
４．当審の判断
    上記相違点について検討する。
相違点１について
  記録媒体が記録再生装置に装着されたとき、記録媒体に記載された情報、例えば、その記録媒体の情報形成層の特性等、即ち記録媒体の規格情報として明らかな反射率、レーザーパワーの閾値、再生信号の極性、その他の物理定数、或いはディスクサイズ等を読み出し、該規格情報に基づいてその記録媒体の種別を識別し、その識別した種別等に応じて光学ヘッド等の処理特性を変化させることにより、一台の装置で各種の光ディスク媒体に対応させようとすることは周知のこと（例えば、特開昭６２−２６６６９号公報、特開昭６４−２７０７５号公報）であり、かつ、光ディスクの規格情報としてスポット径（サイズ）を定めるために必須の使用波長および対物レンズのＮＡを設定することも自明のことであるので、記録媒体装着時に読み出した情報に対応して光ビームのスポット径を変える引用刊行物に記載の発明においても、読み出す識別情報をトラックピッチに代えてその記録媒体の規格情報とし、かつ、該規格情報中のスポット径に関する情報とすることは、当業者が容易に考えられるものと認められる。
　
相違点２について、
　上記のように読み出す情報としてスポット径に関する情報を読み出せば、トラックピッチ情報等に関係なく、該スポット径に関する情報に基づいて光学ヘッド手段のスポット径が前記読み出したスポット径に等しくなるようにデフォーカス量を算出することは、当然実施しうる程度のことに過ぎないと認められる。
　
　そして、上記のように構成しても、得られる効果は、当然期待しうる程度のことに過ぎない。
　
５．むすび
  したがって、本願発明は、引用刊行物に記載された発明に基いて当業者が容
易に発明をすることができたものであるので、特許法第２９条第２項の規定に
より特許を受けることができない。
    よって、結論のとおり審決する。